(57)【要約】【課題】  西洋トイレのアームレストを人が寄りかかり易い高さに調整できるようにするとともに、左右別々に調整ができるようにして、これを使用する高齢者や障害者の身体条件に合わせる。【解決手段】  便器の傍にフレームを立て、フレームに便器の両側方を前方に延びる上下回動可能なアームレストを取り付けたアームレスト付き西洋トレイにおいて、アームレストが、下方回動は規制されるが、上方回動は許容されて角度調整が可能であるとともに、解除部材の操作によって下方回動が許容される構成になっていることを特徴とするアームレスト付き西洋トイレ。【選択図】  図１
2006109893.tif 000002
【特許請求の範囲】
【請求項１】
便器の傍にフレームを立て、フレームに便器の両側方を前方に延びる上下回動可能なアームレストを取り付けたアームレスト付き西洋トレイにおいて、アームレストが、下方回動は規制されるが、上方回動は許容されて角度調整が可能であるとともに、解除部材の操作によって下方回動が許容される構成になっていることを特徴とするアームレスト付き西洋トイレ。
【請求項２】
アームレストが、一端をアームレストに係止して他端をフリーにしたコイルバネをアームレストを挿通する固定軸に巻き付けたものであり、アームレストを下方回動させるときにはコイルバネが締め勝手になって回動が規制され、上方回動させるときには緩み勝手になって回動が許容されるとともに、アームレストに解除部材を設け、解除部材を解除操作すると、コイルバネが緩む構成である請求項１のアームレスト付き西洋トイレ。
【請求項３】
便器の傍にフレームを立て、フレームに便器の両側方を前方に延びる上下回動可能なアームレストを取り付けたアームレスト付き西洋トレイにおいて、アームレストが、水平位置を中心とする初期位置から所定角度上方回動した一定の角度範囲では下方回動が規制されるが、上方回動は許容されて角度調整が可能であるとともに、角度調整範囲を上方へ超えると、下方回動が許容される構成になっていることを特徴とするアームレスト付き西洋トイレ。
【請求項４】
アームレストが、一端をアームレストに係止して他端をフリーにしたコイルバネをアームレストを挿通する固定軸に巻き付けたものであり、アームレストを下方回動させるときにはコイルバネが締め勝手になって回動が規制され、上方回動させたときには緩み勝手になって回動が許容されるとともに、アームレストにコイルバネのフリー端を制御するバネガイドを設ける他、固定軸にフリー端を案内するカムを設け、アームレストが角度調整範囲を上方に超えると、バネガイドとカムとが協働してコイルバネを緩んだ状態に保持し、アームレストが初期位置に戻ると、バネガイドとカムとが協働してコイルバネを元の状態に戻す構成である請求項３のアームレスト付き西洋トイレ。
【請求項５】
左右のアームレストの取付けが、先端側ほど幅が狭い平面視ハ形に取り付けられた請求項１〜４いずれか１項のアームレスト付き西洋トイレ。
【請求項６】
アームレストの先端側が幅広に形成される請求項１〜５いずれか１項のアームレスト付き西洋トイレ。
【請求項７】
アームレストの上面が、先端側に窪み部を有するとともに、窪み部の先端から連続して先方ほど高い傾斜面を形成する前方壁を有する請求項１〜６いずれか１項のアームレスト付き西洋トイレ。
【発明の詳細な説明】
【技術分野】
【０００１】
本発明は、身体機能に障害のある高齢者や障害者のためのアームレスト付き西洋トイレに関するものである。
【背景技術】
【０００２】
足腰の力が十分でない高齢者や障害者（以下、障害者等という）は、西洋トイレを使用ことが多いが、これにおいて、便座に腰掛けるのも、その姿勢を保持するのも、とりわけ、便座から立ち上がるのに非常に難渋する。このため、下記特許文献１及び２に見られるように、便器の両側に回動式のアームレストを取り付けたりしているが、これらのアームレストは、単に水平位置の使用位置から起立位置の非使用位置に動かせる（回動）だけのものであった。すなわち、使用するときには、水平位置にして力が掛けられるようにし、使用しないときには、起立姿勢にはね上げて邪魔にならないようにしただけのものであった。
【０００３】
ところで、障害者等は、障害の程度、部位、体格及び身体能力もさまざまであり、アームレストも一様な角度や位置ではベストのものとはいえない。人によっては高い方がよい場合もあれば、低い方がよい場合もある。また、着座や起立のときには、一方のアームレストに寄り掛かることがあるが、どちらに寄り掛かるかは人によって違う。さらに、寄り掛かりの姿勢も人さまざまである。このため、左右のアームレストの高さが異なることも必要である。
【特許文献１】特開平１０−２３４６２３号公報
【特許文献２】特開２００１−９５７２９号公報
【発明の開示】
【発明が解決しようとする課題】
【０００４】
本発明が解決しようとする課題は、左右一方又は両方のアームレストにどのような姿勢で寄り掛かろうとも、それに対して最適な被寄掛体となるようにしたものである。加えて、手や肘で寄り掛かった際、寄り掛かり易くするとともに、滑ったりして危険な目に遇うことがないようにしたものである。
【課題を解決するための手段】
【０００５】
以上の課題の下、本発明は、請求項１に記載した、便器の傍にフレームを立て、フレームに便器の両側方を前方に延びる上下回動可能なアームレストを取り付けたアームレスト付き西洋トレイにおいて、アームレストが、下方回動は規制されるが、上方回動は許容されて角度調整が可能であるとともに、解除部材の操作によって下方回動が許容される構成になっていることを特徴とするアームレスト付き西洋トイレを提供する。
【０００６】
これにおけるアームレストの具体的構成として、請求項２に記載した、アームレストが、一端をアームレストに係止して他端をフリーにしたコイルバネをアームレストを挿通する固定軸に巻き付けたものであり、アームレストを下方回動させるときにはコイルバネが締め勝手になって回動が規制され、上方回動させるときには緩み勝手になって回動が許容されるとともに、アームレストに解除部材を設け、解除部材を解除操作すると、コイルバネが緩む構成を提供する。
【０００７】
また、本発明は、請求項３に記載した、便器の傍にフレームを立て、フレームに便器の両側方を前方に延びる上下回動可能なアームレストを取り付けたアームレスト付き西洋トレイにおいて、アームレストが、水平位置を中心とする初期位置から所定角度上方回動した一定の角度範囲では下方回動が規制されるが、上方回動は許容されて角度調整が可能であるとともに、角度調整範囲を上方へ超えると、下方回動が許容される構成になっていることを特徴とするアームレスト付き西洋トイレを提供する。
【０００８】
これにおけるアームレストの具体的構成として、請求項４に記載した、アームレストが、一端をアームレストに係止して他端をフリーにしたコイルバネをアームレストを挿通する固定軸に巻き付けたものであり、アームレストを下方回動させるときにはコイルバネが締め勝手になって回動が規制され、上方回動させたときには緩み勝手になって回動が許容されるとともに、アームレストにコイルバネのフリー端を制御するバネガイドを設ける他、固定軸にフリー端を案内するカムを設け、アームレストが角度調整範囲を上方に超えると、バネガイドとカムとが協働してコイルバネを緩んだ状態に保持し、アームレストが初期位置に戻ると、バネガイドとカムとが協働してコイルバネを元の状態に戻す構成を提供する。
【０００９】
さらに、アームレストの形態等の具体例として、請求項５に記載した、左右のアームレストの取付けが、先端側ほど幅が狭い平面視ハ形に取り付けられた態様、請求項６に記載した、アームレストの先端側が幅広に形成される態様、請求項７に記載した、アームレストの上面が、先端側に窪み部を有するとともに、窪み部の先端から連続して先方ほど高い傾斜面を形成する前方壁を有する態様を提供する。
【発明の効果】
【００１０】
請求項１の発明によると、アームレストの下方回動は常に規制されるから、これに力を掛けて被寄掛体とすることができる。また、上方回動は許容されるから、その高さを変えることもできるし、起立姿勢等にはね上げることもできる。そして、この操作は左右のアームレストで別々にできるから、使用者の身体的条件に合わせて最適なものにすることができる。さらに、解除部材を操作すれば、下方回動も許容されるから、高さの再設定等も可能になる。これにおいて、請求項２の発明によると、アームレストの下方回動が規制され、上方回動が許容される構造を簡単で確実に具現できるし、解除部材を操作すれば、どの角度であっても、下方回動が許容されるものになる。
【００１１】
請求項３の発明によっても、アームレストが恰好の被寄掛体となる点は同じであるし、角度調整やはね上げができる点も同じである。加えて、この発明によると、アームレストが角度調整範囲を超えると、解除部材を操作しなくても、アームレストだけの操作で水平位置や起立位置に回動できるから、操作が簡単で楽である。特に、障害者等にとって操作する部材が少ないことは好ましいことである。これにおいて、請求項４の発明によると、上記の動きをするアームレストを簡単な構造で具現できる。この他、請求項５〜７の発明によると、いずれも、障害者等にとって安全で楽なものになる。
【発明を実施するための最良の形態】
【００１２】
以下、本発明の実施の形態を図面を参照して説明する。図１は本発明の一例を示すアームレスト付き西洋トイレ（以下、トイレという）の平面図、図２は側面図であるが、トイレは、便器１とその後方の水タンク２とからなる通常構造のものであり、便器１の両側に、便器１とは別のフレーム３を立てている。このフレーム３は、鋼製又は樹脂製のパイプ等からなるもので、便器１の両側の床面に据えられる脚部３ａと、脚部３ａから起立する起立部３ｂと、起立部３ｂ間を便器１の後方を回って連結する連結部３ｃからなるもので、連結部３ｃの中央は、人がもたれることができる背もたれ部３ｄに形成されている。
【００１３】
アームレスト４は、起立部３ｂの上方辺り（人が便器１に据わったとき肘の位置付近）の左右に後端を中心に回動可能に設けられ回動アーム５に一体的に被せられるものであり、軟質部材等でカバーをされた軟らかいものである。このアームレスト４は、起立部３ｂに設けられた固定軸６の回りに回動できるものであり、その範囲は、水平位置を中心にした初期位置から、起立位置を過ぎた辺りの終端位置までに至る。
【００１４】
そして、このアームレスト４は、少なくとも、下方回動は規制され、上方回動は許容されるものになっている。したがって、力を加えても下方回動することのない被寄掛体となるとともに、上方への角度調整は可能なものになっている。一方、アームレスト４は、角度の再設定等のために下方回動も許容される必要はあるが、本発明は、これを、一つは解除部材を操作することにより、二つはアームレストが一定の角度調整範囲を超えた後に動かすことで可能にしている。
【００１５】
図３は前者の構造の一例を示すアームレスト４の側面断面図、図４は平面断面図であるが、これは、コイルバネを利用したものである。すなわち、フレーム３の起立部３ｂから外方に固定軸６を突出させ、回動軸６の回りにアームレスト４（回動アーム５）を回動可能に取り付けたものである。これにおいて、固定軸６にコイルバネ７を巻き付け、その一端をアームレスト４に係止するとともに、他端はフリーにしている。そして、コイルバネ７の巻き方向を、アームレスト４が下方回動するときには、固定軸６に対して締め勝手になり、上方回動するときには、緩み勝手にしておく。
【００１６】
これによると、アームレスト４を下方回動させようとすると、コイルバネ７が固定軸６を締め付けて動かなくなり、上方回動させようとすると、コイルバネ７は固定軸６の外周に緩んだ状態になり、そのフリー端はアームレスト４と一緒に動いて自由な回動が可能になる。したがって、左右のアームレスト４をそれぞれ好みの角度に固定してそれに寄り掛かることができるから、障害者等にとって楽である。なお、アームレスト４を初期位置に戻す必要があるから、その下方回動の規制は解除される必要がある。
【００１７】
このため、本例では、コイルバネ７のフリー端にリンク８の一端を係止し、リンク８の他端を前方に延ばしてここに設けられた支持軸９の回りを回動する解除部材（レバー）１０のピン１１に枢着している。これにより、解除部材１０を上方に回動させると、その動きはリンク８を介してコイルバネ７に緩みを与え、固定軸６に対する締付けが緩んで上方又は下方に自由に回動できるものとなる。本例のものは、解除部材１０を操作する必要はあるが、アームレスト４がどの角度であっても、下方回動させることができるし、構造も簡単になる特徴がある。
【００１８】
図５は後者の構造の一例を示すアームレスト４の側面断面図、図６は平面断面図であるが、本例のものも、コイルバネを利用したものであり、固定軸（本例の場合は固定胴）１２にコイルバネ１３を巻き付け、その一端をアームレスト４に係止するとともに、他端はフリーにした点は変わらない。ただ、本例のものは、上記した解除部材を排したものであり、そのための構成として、固定胴１２の側面にコイルバネ１３のフリー端に摺接するカム１４を形成するとともに、コイルバネ１３の外周にフリー端を挿入するガイド孔１５を形成したバネガイド１６を設けている。なお、コイルバネ１３のフリー端は、一旦内方に曲げた径小部１３ａから外方に伸長した径大部１３ｂを形成し、この径大部１３ｂをガイド孔１５に挿通している。
【００１９】
以上の構成により、アームレスト４を下方回動させようとすると、コイルバネ１３は固定胴１２を締め付ける締め勝手になり、回動は規制される。一方、アームレスト４を上方回動させるときには、コイルバネ１３は固定胴１２に対して緩む緩み勝手になり、自由な回動が許容される。この関係は、アームレスト４の初期位置から一定の角度範囲まで続くが、これを過ぎると、コイルバネ１２は一定の緩まった状態に保持され、終端位置までの上方回動及び初期位置までの下方回動が自由になる。そして、初期位置まで戻ると、コイルバネ１３は元の状態に戻されるようになっている。
【００２０】
これを制御するのがカム１４とバネガイド１５であり、図７はその説明図であるが、要するに、角度調整範囲では、径大部１３ｂ（白い丸）はカム１４に摺接してアームレスト４とガイド孔１５との関係は変わらないが（ａ）、それを過ぎると、径大部１３ｂはカム１４の段差に乗り上げて抵抗が増し（ｂ）、それによって径大部１３ｂはｒだけ後方にずれて（コイルバネ１３が緩んだ状態）ガイド孔１５の縦溝１５ａから横溝１５ｂに移る（ｃ）。この状態になると、コイルバネ１３の緩みは保持された状態になる（横溝１５ｂの前壁が障害になって径大部１３ｂは縦溝１５ａに戻ることはない）。
【００２１】
以上の状態は、アームレスト４が角度調整範囲を超えて終端位置まで及び終端位置から初期位置まで続くが（ｄ〜ｇ）、初期位置に戻ると、今度は、径小部１３ａ（黒い丸）がカム１４の外方段差に突き当たり（ｈ）、これに伴って径大部１３ｂは横溝１５ａを滑って縦溝１５ｂの方に強制的に戻され、コイルバネ１３の自然の復帰力によって縦溝１５ｂ中をやや前方に移されて固定胴１２に正規に巻き付いた状態となる（ａ）。この構造のものは、アームレスト４を角度調整範囲を超えて上方回動させれば、後はアームレスト４を下方に引き下げるだけで初期位置に戻るとともに、コイルバネ１３は正規の巻回状態となるから、解除部材等を操作しなくてもよいことになり、操作が楽で簡単な特徴がある。特に、力の弱い障害者等にとって操作部材が少ないというのは有り難い。
【００２２】
ところで、アームレスト４に以上の動きをさせるには、コイルバネを利用したものに限らない。要するに、アームレスト４が下方回動するのは一定に制限され、上方回動は許容されるものであれば何でもよい。図示は省略するが、二つのフエースギアを噛み合わせたようなものでもよい。そして、下方回動させようとするときには、一定の解除操作或いはアームレスト４が所定位置にあることを条件にしてフェースギアの噛合いを外し、初期位置に戻ると再度噛み合わすといった制御動作をさせればよい。これによると、角度位置の調整は有段になるが、規制が確実であるという利点がある。要は、初期位置から一定の角度範囲においては、下方回動が規制されるが、上方回動は許容されて角度調整ができるとともに、初期位置に戻るものであればよい。
【００２３】
アームレスト４の形態等については障害者等に好ましい種々のものが考えられる。図１及び図２に示すものは、平面視ではほぼ真っ直ぐになっているが、側面視では、先端側で窪み部４ａを有しており、窪み部４ａの先端から連続して先方ほど高い傾斜面を形成する前方壁４ｂを有しているものである。また、図８の平面図、図９の側面図に示すものは、窪み部４ａから前方壁４ｂにかけての部分に幅広部４ｃを形成したものである。これらは、障害者等が用を足すとき、アームレスト４に寄り掛かり易くしたものであり、アームレスト４はそれに最適に応えられるようにしたものである。なお、これら窪み部４ａ、前方壁４ｂ、幅広部４ｃの表面は滑らかにしておくし、適当に面取り等を施しておくのはいうまでもない。
【００２４】
図１０〜図１２は平面視が真っ直ぐなアームレスト４により、図１３は先端に幅広部４ｃを有するアームレスト４によって障害者等１７が用を足すときの便器１との関係を示す説明図であるが、障害者等１７は、便器１に着座するときにも何らかの寄り掛かりが必要であるが、それがこのアームレスト４である。このとき、アームレスト４は高さ（角度）調整ができるのであるから、楽に寄り掛かることができる最適な高さにすればよい。そして、この高さ設定は左右別々にできるのであるから、身体的条件等に応じて楽なようにすればよい。もちろん、一方又は両方が邪魔になれば、各々を終端位置にはね上げておけばよい。このとき、アームレスト４には、窪み部４ａや前方壁４ｂ或いは幅広部４ｃが存在するから、ここに手を置けば力が掛け易いし、滑ったりもしないから安全でもある。
【００２５】
また、用足し中に姿勢保持が必要な場合もあるが、このときも、背もたれ部３ｄに背中をもたせておいてもよいし、左右どちちらか或いは双方のアームレスト４に寄り掛かっていてもよい。このとき、幅広部４ｃを有していたり、窪み部４ａや前方壁４ｂを有していると、前記と同様、楽で安全である。さらに、用を足すと立ち上がる必要があり、このとき、もっとも力を要す。この場合も、両手でアームレスト４を支えに立ち上がったり、片方のアームレスト４に寄り掛かって立ち上がったりするが、このときも、アームレスト４の角度が左右別々に調整できること、窪み部４ａや前方壁４ｂ及び幅広部４ｃを有していることは、力を出し易くするし、安全を確保するものとなる。
【００２６】
ところで、両側のアームレスト４の平面的配置は、平行又は前開きであってもよいが、好ましいのは、先端が狭まって平面視ハ形に形成されことである。一般に、障害者等１７が寄り掛かるのは、手は前方に延ばして前屈みになっていることから、アームレスト４の先端部が多い。したがって、この先端部は先端が狭まっている方が、寄り掛かり易いし、力も入る。また、身体が揺れたようなときの支えにもこの形態のものが適する。この角度としては、１５°〜３０°位が好ましい。
【図面の簡単な説明】
【００２７】
【図１】アームレスト付き西洋トイレの平面図である。
【図２】アームレスト付き西洋トイレの側面図である。
【図３】アームレストの制御機構の断面側面図である。
【図４】アームレストの制御機構の断面平面図である。
【図５】アームレストの制御機構の断面側面図である。
【図６】アームレストの制御機構の断面平面図である。
【図７】カムとバネガイドとの関係を示す説明図である。
【図８】アームレスト付き西洋トイレの平面図である。
【図９】アームレスト付き西洋トイレの側面図である。
【図１０】障害者等と便器との関係を示す説明図である。
【図１１】障害者等と便器との関係を示す説明図である。
【図１２】障害者等と便器との関係を示す説明図である。
【図１３】障害者等と便器との関係を示す説明図である。
【符号の説明】
【００２８】
１    便器
２    水タンク
３    フレーム
３ａ  脚部
３ｂ  起立部
３ｃ  連結部
３ｄ  背もたれ部
４    アームレスト
４ａ  窪み部
４ｂ  前方壁
４ｃ  幅広部
５    回動アーム
６    固定軸
７    コイルバネ
８    リンク
９    支持軸
１０    解除レバー
１１    ピン
１２    固定軸（胴）
１３    コイルバネ
１３ａ  径小部
１３ｂ  径大部
１４    カム
１５    ガイド孔
１５ａ  縦溝
１５ｂ  横溝
１６    バネガイド
１７    障害者等
【図１】
2006109893.tif 000003
【図２】
2006109893.tif 000004
【図３】
2006109893.tif 000005
【図４】
2006109893.tif 000006
【図５】
2006109893.tif 000007
【図６】
2006109893.tif 000008
【図７】
2006109893.tif 000009
【図８】
2006109893.tif 000010
【図９】
2006109893.tif 000011
【図１０】
2006109893.tif 000012
【図１１】
2006109893.tif 000013
【図１２】
2006109893.tif 000014
【図１３】
2006109893.tif 000015